(57)【要約】【課題】省電力化のため、増幅手段の電源投入タイミングを超音波信号の受信タイミングに近づける。【解決手段】伝搬時間予測手段１４で予測した超音波信号の伝搬時間の寸前の第１の設定時間で、受信側超音波送受信器２または３と増幅手段９の接続抵抗を高抵抗にした状態で電源７による電力供給を開始して、その際に発生する受信側超音波送受信器端子間の振動ノイズを急速に減衰させた後、第２の設定時間で、受信側超音波送受信器と増幅手段９との接続抵抗を低抵抗に切り換えて超音波信号を受信しているので、増幅手段の電力供給開始タイミングを受信タイミングに近づけることが可能になる。【選択図】図１
2010066083.tif 000002
【特許請求の範囲】
【請求項１】
流体流路の上流側と下流側に配置された少なくとも一対の超音波送受信器と、受信側に設定されている前記一方の超音波送受信器に負荷抵抗を介して接続された増幅手段と、前記増幅手段に対する電力の供給／停止を切り換える電源スイッチと、前記受信側に設定されている前記一方の超音波送受信器と前記増幅手段の接続抵抗値を切り換える抵抗値切換手段と、前記増幅手段の出力に基づいて超音波信号の受信を判断する受信判定手段と、前記超音波信号の送信から受信までの伝搬時間を計測するタイマーと、前記タイマーで計測した過去の伝搬時間を元に次の予測伝搬時間を決定する伝搬時間予測手段と、前記電源スイッチおよび抵抗切換手段を制御する受信制御手段とを備え、前記受信制御手段は、前記予測伝搬時間より前の第１の設定時間で前記電源スイッチにより前記増幅手段へ電力供給を開始し、前記第１の設定時間と前記予測伝搬時間の間の第２の設定時間で前記抵抗値切換手段により前記振超音波送受信器と前記増幅手段との接続抵抗を受受信側に設定されている前記一方の超音波送受信器のインピーダンスと同等の高抵抗値からほぼゼロとみなせる低抵抗値に切り換えることを特徴とする流体の流れ計測装置。
【請求項２】
送信側超音波送受信器と受信側超音波送受信器の役割を切り換えることにより、流れの順方向と逆方向の双方の計測を可能とした送受信切換手段と、タイマーで計測した伝搬時間に基づいて流体流速および／または流量を算出する演算手段とを備え、受信制御手段は、流れの順方向と逆方向で個別の予測伝搬時間に基づいて第１、および第２の設定時間を定めることを特徴とする請求項１に記載の流体の流れ計測装置。
【請求項３】
計測した伝搬時間を基に装置の雰囲気温度を推定する温度推定手段と、前記温度推定手段の推定温度に従って受信側超音波送受信器のインピーダンスを推定するインピーダンス推定手段とを備え、受信制御手段は、前記インピーダンス推定手段の出力に応じて受信側超音波送受信器と増幅手段の接続抵抗の高抵抗側の値を制御することを特徴とする請求項１または２に記載の流体の流れ計測装置。
【発明の詳細な説明】
【技術分野】
【０００１】
本発明は、超音波信号の伝搬時間を計測することにより、流体の流速および／または流量等の物理量を計測する流れの計測装置に関するものである。
【背景技術】
【０００２】
従来、この種の流量計において、逆数差法という手法が広く知られている。これは、流体の流れ方向の上流側と下流側にそれぞれ超音波送受信器を配置し、ふたつの超音波送受信器間を超音波が伝搬する時間、すなわち伝播時間を計測するもので、流れの順方向の伝搬時間と逆方向の伝搬時間が異なることを利用したものである。
【０００３】
より具体的に言えば、相互の伝搬時間の逆数差が流量に比例する性質に基づいて計測を行う。
【０００４】
図３は、逆数差法を用いた流れ計測装置を示し、流体流路１０１を流れる流体を超音波が斜めに横切るように一対の超音波送受信器１０２，１０３を上下流側に配置するとともに、これら超音波送受信器１０２，１０３の受、発信条件などを制御部１０４で制御するようにし、また、これら超音波送受信器１０２，１０３間の超音波伝搬時間差を計測部１０５で計測して、それにもとづき流体の流速および流量を演算部１０６で演算するようにしていた。
【０００５】
ここで、音速をＣ、流速をｖ、超音波送受信器１０２，１０３間の距離をＬ、超音波の伝搬方向と流体の流れの方向とがなす角度をθとし、上流側の超音波送受信器１０２から超音波を送信して、下流側の超音波送受信器１０３にで受信した場合の伝搬時間をｔ１、逆方向の伝搬時間をｔ２とした場合、ｔ１およびｔ２は次式で求めることができる。
【０００６】
ｔ１＝Ｌ／（Ｃ＋ｖｃｏｓθ）              （１）
ｔ２＝Ｌ／（Ｃ−ｖｃｏｓθ）              （２）
式１および式２を変形し、下記の式３で流速ｖが求まる。
【０００７】
ｖ＝Ｌ・（１／ｔ１−１／ｔ２）／２ｃｏｓθ    （３）
前記式３で求めた値に流体流路１０１の断面積を掛ければ流体の流量を求めることができる。
【０００８】
超音波式の流れ測定装置は、先に述べた計測原理から明らかなように機械的な稼動部を有しない構成であるため、現在、国内外のガスメータで広く使われている機械式のいわゆる膜式ガスメータを代替するものとして期待されている。
【０００９】
ガスメータは、商用電源が確保できない屋外に設置されることがほとんどであり、また、民生器具と違って、メンテナンスフリーであることが要求される。
【００１０】
したがって、電池駆動で１０年間の動作保証が必要である。そのため、消費電力の極めて小さい構成であることが望まれている。
【００１１】
一方、超音波送受信器から出力される超音波信号は、一般に、気体中では減衰が極めて激しい。例えば、送信波のレベルを５ｖとした場合、受信波のレベルはμｖオーダーまで減衰することがある。
【００１２】
このように極めて微小な受信信号は、増幅器を用いて大きく増幅する必要があり、消費電力の増加が避けられないという事情がある。
【００１３】
以上より、長寿命を満足するためには、増幅器を始めとする受信回路の動作時間をできるだけ短くすることが不可欠である。
【００１４】
動作時間を短縮する方法として、超音波信号の受信点近傍でのみ電力を供給する実行する方法が考えられる。このような構成を取った場合、回路電源投入時に、超音波送受信器の両端に過渡的に大きな電圧変動が発生し、それが原因となって、超音波送受信器に不要振動が発生し、本来の受信信号にこの不要振動が重畳されるため、計測精度を悪化させるという課題が生じる。
【００１５】
この課題を解決する手段として、受信回路の電力供給の開始時点では、受信側の超音波送受信器を受信回路と切り離しておき、電源電圧が安定した後、同送受信器と受信回路とを接続するものが考えられている（例えば、特許文献１参照）。
【特許文献１】特開平１１−１７３８８０号公報
【発明の開示】
【発明が解決しようとする課題】
【００１６】
しかしながら、上記のような構成においても、受信側超音波送受信器と受信回路を接続した瞬間の送受信器両端に加わる過渡的な変化が完全に解消されるわけではなく、僅かではあるが不要振動を招くことは避けられない。
【００１７】
一方、先に述べたように、特に、気体中を伝搬する超音波信号の減衰は激しいため、増幅回路の増幅率を相当に高める必要がある。
【００１８】
そのため、受信側超音波送受信器の接続時に発生する僅かな不要振動も最終的には大きく増幅される結果となる。
【００１９】
よって、受信信号が到達する前に、電源電圧の安定待ち時間に加えて、受信側超音波送受信器と受信回路を接続した時点で発生する不要振動が収まるまで待ち時間が必要となるところから、受信回路に対する電力供給時間を思った程は短縮できず、意図した様に消費電力を低減できないという課題があった。
【００２０】
本発明はこのような従来の課題を解消したもので、受信回路に対する電力供給時間を可及的に短縮化することを目的とする。
【課題を解決するための手段】
【００２１】
前記従来の課題を解決するために、本発明の流体の流れ流量計測装置は、流体流路の上流側と下流側に配置された少なくとも一対の超音波送受信器と、受信側に設定されている前記一方の超音波送受信器に負荷抵抗を介して接続された増幅手段と、前記増幅手段に対する電力の供給／停止を切り換える電源スイッチと、前記受信側に設定されている前記一方の超音波送受信器と前記増幅手段の接続抵抗値を切り換える抵抗値切換手段と、前記増幅手段の出力に基づいて超音波信号の受信を判断する受信判定手段と、前記超音波信号の送信から受信までの伝搬時間を計測するタイマーと、前記タイマーで計測した過去の伝搬時間を元に次の予測伝搬時間を決定する伝搬時間予測手段と、前記電源スイッチおよび抵抗切換手段を制御する受信制御手段とを備え、前記受信制御手段は、前記予測伝搬時間より前の第１の設定時間で前記電源スイッチにより前記増幅手段へ電力供給を開始し、前記第１の設定時間と前記予測伝搬時間の間の第２の設定時間で前記抵抗値切換手段により前記振超音波送受信器と前記増幅手段との接続抵抗を受受信側に設定されている前記一方の
超音波送受信器のインピーダンスと同等の高抵抗値からほぼゼロとみなせる低抵抗値に切り換えるようにして、増幅手段の電力供給開始タイミングを受信タイミングに近づけるものである。
【発明の効果】
【００２２】
本発明の流体の流れ計測装置は、増幅手段の電力供給開始タイミングを受信タイミングに近づけることが可能になるため、省電力性能を保ちながら高精度の計測が可能である。
【発明を実施するための最良の形態】
【００２３】
第１の発明は、流体流路の上流側と下流側に配置された少なくとも一対の超音波送受信器と、受信側に設定されている前記一方の超音波送受信器に負荷抵抗を介して接続された増幅手段と、前記増幅手段に対する電力の供給／停止を切り換える電源スイッチと、前記受信側に設定されている前記一方の超音波送受信器と前記増幅手段の接続抵抗値を切り換える抵抗値切換手段と、前記増幅手段の出力に基づいて超音波信号の受信を判断する受信判定手段と、前記超音波信号の送信から受信までの伝搬時間を計測するタイマーと、前記タイマーで計測した過去の伝搬時間を元に次の予測伝搬時間を決定する伝搬時間予測手段と、前記電源スイッチおよび抵抗切換手段を制御する受信制御手段とを備え、前記受信制御手段は、前記予測伝搬時間より前の第１の設定時間で前記電源スイッチにより前記増幅手段へ電力供給を開始し、前記第１の設定時間と前記予測伝搬時間の間の第２の設定時間で前記抵抗値切換手段により前記振超音波送受信器と前記増幅手段との接続抵抗を受受信側に設定されている前記一方の超音波送受信器のインピーダンスと同等の高抵抗値からほぼゼロとみなせる低抵抗値に切り換えるようにした。
【００２４】
したがって、予測伝搬時間の寸前に、まず、受信側超音波送受信器と増幅手段の接続抵抗を高抵抗にした状態で増幅手段の電源を投入して、電力供給の際に発生する受信側超音波送受信器端子間の振動ノイズを急速に減衰させた後に増幅手段との接続抵抗を低抵抗に切り換えて、超音波信号を受信しているので、増幅手段の電力供給開始タイミングを受信タイミングに近づけることが可能となり、省電力性能を保ちながら高精度の計測が可能である。
【００２５】
第２の発明は、特に第１の発明において、送信側超音波送受信器と受信側超音波送受信器の役割を切り換えることにより、流れの順方向と逆方向の双方の計測を可能とした送受信切換手段と、タイマーで計測した伝搬時間に基づいて流体流速および／または流量を算出する演算手段とを備え、受信制御手段は、流れの順方向と逆方向で個別の予測伝搬時間に基づいて第１、および第２の設定時間を定める構成としているので、流れの順方向と逆方向でそれぞれ別に電源投入タイミングを設定することで、流量変動にかかわらず最適な制御タイミングが設定可能となり、省電力性能を保ちつつ、より高精度の流れ計測が可能となる。
【００２６】
第３の発明は、特に第１または第２の発明において、計測した伝搬時間を基に装置の雰囲気温度を推定する温度推定手段と、前記温度推定手段の推定温度に従って受信側超音波送受信器のインピーダンスを推定するインピーダンス推定手段とを備え、受信制御手段は、前記インピーダンス推定手段の出力に応じて受信側超音波送受信器と増幅手段の接続抵抗の高抵抗側の値を制御する構成としているので、超音波送受信器の温度特性に応じて、受信側超音波送受信器と増幅手段の接続抵抗の最適化が可能となる。
【００２７】
以下本発明の実施の形態を図面を参照して説明する。なお、実施の形態が本発明を限定するものではない。
【００２８】
（実施の形態１）
図１において、流体流路１を流れる流体を超音波が斜めに横切るように一対の超音波送受信器２，３が上下流側に配置してある。
【００２９】
これら超音波送受信器２，３は、送受信の役割を反転する送受信切換手段４を介して後段の処理ブロックに繋がれている。
【００３０】
送受信切換手段４は４連のスイッチで構成されていて、接点ａが閉じると超音波送受信器２が送信側、超音波送受信器３が受信側となり、接点ｂが閉じられると超音波送受信器３が送信側、超音波送受信器２が受信側となる。
【００３１】
送信側超音波送受信器は送信手段５と、受信側超音波送受信器は２連の可変抵抗６を介して後段の受信回路と接続される。
【００３２】
受信回路は回路駆動電力を供給する電池電源７、この電源７の電力供給と停止を切り換える電源スイッチ８、受信側超音波送受信器の出力を増幅する増幅手段９、この増幅手段９の出力から超音波信号の受信を検知する受信判定手段１０とで構成される。
【００３３】
なお、可変抵抗６は２連構成のボリウム抵抗であり、双方が連動して同じ値となるように構成されている。
【００３４】
トリガ手段１１は一連の計測動作の開始を指示するトリガ信号を出力し、このトリガ信号と同期して、タイマー１２が超音波計測開始後の経過時間の計測を開始する。
【００３５】
受信判定手段１０で受信波の伝搬が判定された時のタイマー１２の計測値がこの回の計測の伝搬時間である。
【００３６】
この伝搬時間は演算手段１３に出力され、ここでは、流速、流量値などの流れの計測にかかわる種々の値が演算される。
【００３７】
ここで、算出される値のひとつが、予め定められた回数（例えば８回）の伝搬時間の平均値である。この値は、伝搬時間予測手段１４に記憶される。
【００３８】
受信制御手段１５は、電源スイッチの切り換えタイミングの制御や、可変抵抗６の抵抗値の制御を行うが、この時の制御タイミングは、伝搬時間予測手段１４に記憶されている過去の計測結果を基に決定される。
【００３９】
以上のように構成された流体の流れ計測装置の動作を説明する。
【００４０】
まず、超音波送受信器２を送信側とした場合の動作について説明する。最初にトリガ手段１１から、計測開始を指示するトリガ信号が出力されるが、この時点で送受信切換手段４の接点ａが閉じており、その結果、超音波送受信器２と送信手段５が接続され、超音波送受信器３と可変抵抗６を介して後段の受信回路が接続されることになる。
【００４１】
そして、この時点の可変抵抗値は、受信側超音波送受信器のインピーダンスとほぼ同一の値（例えば、３００Ω）に設定されている。
【００４２】
さらに、電源スイッチ８の接点は開いており、受信回路への電力供給が停止されている。
【００４３】
トリガ手段１１から出力されるトリガ信号の出力と同期して、送信手段５から駆動信号
（例えば５００ｋＨｚの交流信号）が出力され、振動超音波送受信器２から超音波信号が出力される。
【００４４】
また、これと同期して、タイマー１２がスタートし、超音波信号出力後の経過時間の計測が始まる。
【００４５】
振動超音波送受信器２から出力された超音波信号は、やがて受信回路に到達するが、その伝搬時間は、環境条件や流量が大きく変化しない限りはほとんど変化しないので、直近の計測値を利用して予測可能である。
【００４６】
この予測データを元に伝搬時間の寸前で電力供給を開始する構成を実現すれば、常時通電する場合に比べて大幅な消費電力低減が可能になる。
【００４７】
受信制御手段１５では、伝搬時間予測手段１４の記憶データを元に電源スイッチ８の切り換えタイミングである第１の設定時間と、可変抵抗６の抵抗値切り換えタイミングである第２の設定時間を求めて、それらの時間で切り換え信号を出力する。
【００４８】
これら設定時間の最適化方法については後述することとして、まず、第１および第２の設定時間における動作を先に説明する。
【００４９】
トリガ信号出力からスタートしたタイマー１２の計測値が第１の設定時間に達すると、受信制御手段１５から制御信号が出力され、電源スイッチ８の接点が閉じられて、電源７から増幅手段９および受信判定手段１０に駆動電力が供給される。
【００５０】
この時、発生する不連続な電圧変化によって、受信側の超音波送受信器３の両端子間に過渡的に僅かな電位差が発生する。この電位差が受信側超音波送受信器３の不要振動のエネルギー源となる。
【００５１】
ただし、このエネルギーは継続的に供給されるわけではないので、受信回路の負荷抵抗で消費され、やがて消滅する。
【００５２】
この時、受信回路の抵抗値が大きい方が振動エネルギーの消費も早い。電源投入の瞬間、受信側の超音波送受信器３と増幅手段９の接続抵抗値は同送受信器３のインピーダンスと同程じ値に設定されているので、送受信器と負荷抵抗の整合が取られているため、最も効率的に振動エネルギーを消費させることが可能となる。
【００５３】
また、可変抵抗６を用いているため、個体間ばらつきにより受信振動子毎にインピーダンスが異なる場合や、機種毎に特性の全くことなる振超音波送受信器を用いた場合であっても、受信側振超音波送受信器と増幅手段の接続抵抗値をその都度、最適な値を設定することができる。
【００５４】
振動エネルギーが消費された後、タイマー１２の計測値が第２の設定時間に達すると、受信制御手段１０から制御信号が出力され、可変抵抗６の抵抗値をゼロに切り換える。
【００５５】
第２の設定時間の後、流路内を伝搬した超音波信号が超音波送受信器３に伝搬到すると、その信号出力は、可変抵抗６を介して増幅手段９に出力される。接続抵抗がゼロに切り換っているので、超音波送受信器３の両端の受信信号電圧を高い効率で増幅手段９に伝送することが可能である。
【００５６】
増幅手段９で増幅された受信信号は、受信判定手段１０へ出力され、ここで受信判定処
理が行われる。受信判定手段１０の詳細は省略するが、ここでは、受信波形の特定部位を受信点と判断する構成とし、具体的には受信波形の３周期目のゼロクロス点の立ち下がりを受信ポイント判断するものとする。
【００５７】
受信判定手段１０で受信判定がなされると、超音波送受信器２を送信側、超音波送受信器３を受信側とした流れの順方向の超音波伝搬の時間計測が終了する。
【００５８】
順方向の計測終了時に、タイマー１２の計測値は、流れの順方向の伝搬時間として、演算手段１３に出力される。同時に、受信制御手段１５から送受信を切り換えるための制御信号が出力される。
【００５９】
この制御信号を受けて、送受信切換手段４の接点ｂが閉じられて、超音波送受信器３と送信手段５とが接続され、超音波送受信器２と受信回路が接続され、送受信の関係が逆転する。また、電源スイッチ８の接点が開いて、電源７から増幅手段９および受信判定手段１０への電力供給が停止される。
【００６０】
受信制御手段１５は定められた遅延の後、トリガ手段１１にリセット信号を出力する。トリガ手段１１はリセット信号を受けて、計測開始のトリガ信号を、タイマー１２および送信手段５に出力する。
【００６１】
ここから、超音波送受信器３を送信側とした計測が開始される。その後の動作は、ふたつの送受信器間の送受の関係が入れ替わるだけで先に述べた手順と同様に、受信判定手段１０における受信判定のまでの一連の処理が実行される。
【００６２】
受信判定手段１０で受信判定がなされると、超音波送受信器３を送信側、超音波送受信器２を受信側とした、流れと逆方向の超音波伝搬の時間計測が終了する。
【００６３】
流れの逆方向の計測終了時に、タイマー１２の計測値は、流れの逆方向の伝搬時間として、演算手段１３に出力される。同時に、受信制御手段１５から送受信を切り換えるための制御信号が出力される。
【００６４】
この制御信号を受けて、送受信切換手段４の接点ａが閉じられて、超音波送受信器２と送信手段５とが接続され、超音波送受信器３と受信回路が接続され、両送受信器の送受信の関係が再度逆転する。また、第１スイッチ１２の接点が開いて、電源７から増幅手段９および受信判定手段１０への電力供給が停止される。
【００６５】
受信制御手段１５は定められた遅延の後、トリガ手段１１にリセット信号を出力し、今度は、超音波送受信器２を送信側とした計測が開始される。
【００６６】
以上のように、１回計測する毎に、一定の遅延時間を置きながら、ふたつの超音波送受信器の送受信関係を切り換えながら計測が続けられる。
【００６７】
そして、予め定められた回数（例えば、順方向、逆方向それぞれ８回）の計測が完了した時点で、演算手段１３では、８回の計測結果を順方向、逆方向それぞれ別個に伝搬時間平均値を算出し、その値は伝搬時間予測手段１４に記憶される。更に、伝搬時間平均値を元に流量値が求められる。
【００６８】
次に、伝搬時間予測手段１４に記憶された伝搬時間平均値を用いて、第１の設定時間および第２の設定時間を最適化する方法について説明する。
【００６９】
流路内に異質のガスが混入したり、意図的にガスの置換を行ったりしない限り、伝搬時間の値はわずかな時間で急激に変化することがないので、前の８回の計測平均値が次の８回の計測のおおよその期待値と考えることができる。
【００７０】
流れの順方向の伝搬時間平均値をＴａとすると、次の８回の順方向の計測においては、第１の設定時間、第２の設定時間に係る振動子両端に発生する振動ノイズが、計測開始後の経過時間Ｔａの近傍で充分小さくなるように適当なマージンを見込んで、各制御タイミングを設定すれば良い。
【００７１】
電源スイッチ８を閉じた後、振動レベルが収束するまでの時間をα、可変抵抗６の抵抗値をゼロに切り換えた後、振動レベルが収束するまでの時間をβとすれば、タイマー１２の値が示す計測開始からの経過時間がＴａ−（α＋β）となる時間を第１の設定時間Ｔ１、経過時間がＴａ−βとなる時間を第２の設定時間Ｔ２として電源スイッチ８、およびの可変抵抗６の抵抗値の切り換えを行えば良い。
【００７２】
以上説明してきたように本実施の形態の流体の流れ計測装置においては、伝搬時間予測手段１４に記憶された予測伝搬時間に基づいて、その時間の寸前に受信側超音波送受信器と増幅手段９の接続抵抗を同送受信器と等しくした状態で増幅手段９の電源を投入して、電力供給の際に発生する受信側超音波送受信器間の振動ノイズを急速に減衰させている。その後、受信側超音波送受信器と増幅手段９との接続抵抗をゼロに切り換えた後に、超音波信号を受信しているので、増幅手段９の電力供給開始タイミングを受信波形により近づけることが可能になり、省電力性能を保ちながら高精度の計測が可能である。
【００７３】
また、流れの順方向と逆方向でそれぞれ別に電源投入タイミングを設定することで、流量変動に関わらず、最適な制御タイミングが設定可能となり省電力性能を保ちつつ、より高精度の流量計測が可能となる。
【００７４】
（実施の形態２）
図２は実施の形態２を示し、図１のものと同作用を行う構成部分については同一符号を付し、詳細な説明は実施の形態１のものを援用する。
【００７５】
温度検知手段１６は演算手段１３で求めた順方向の伝搬時間と逆方向の伝搬時間から流体の温度を推定している。そして、ここで推定した温度に応じて、受信制御手段１５は第１の設定時間および第２の設定時間を変化させている。
【００７６】
気体の温度と、その気体中を伝搬する音速は一次の近似式で与えられることはよく知られている。
【００７７】
したがって、超音波送受信器間の距離とガス種が既知であれば、計測した伝搬時間を用いて音速を容易に求めることが可能である。
【００７８】
これには、流速が変化した場合であっても、順方向の伝搬時間と逆方向の伝搬時間の和がほとんど変化しないことを利用する。
【００７９】
この性質によれば、同一温度条件であれば、ふたつの伝搬時間の平均値は変わらないと結論づけられる。逆に言えば、伝搬時間の平均値から温度を知ることができると言える。
【００８０】
一般に、受信側超音波送受信器のインピーダンスは、温度により若干変化するので、上記のように温度がわかっていれば、温度特性分を補正して、可変抵抗６の高抵抗側の抵抗値を変更すれば良い。
【００８１】
以上、説明してきたように本発明の実施の形態においては、温度推定手段１６で推定した装置内の推定温度に従って、増幅手段９の電力供給開始時の抵抗値を制御しているので、の温度特性に応じて、受信側超音波送受信器と増幅手段の接続抵抗の最適化が可能となる。
【産業上の利用可能性】
【００８２】
以上のように、本発明の流体の流れ計測装置は、増幅手段の電源投入タイミングを超音波信号の受信タイミングに近づけることができ、省電力化が可能となるので、電池駆動で長寿命を要求されるガスメータ、水道メータなどに適用可能である。
【図面の簡単な説明】
【００８３】
【図１】本発明の実施の形態１における流体の流れ計測装置のブロック図
【図２】本発明の実施の形態２における流体の流れ計測装置のブロック図
【図３】従来の流体の流れ計測装置のブロック図
【符号の説明】
【００８４】
１  流体流路
２，３  超音波送受信器
４  送受信切換手段
６  可変抵抗
７  電源
８  電源スイッチ
９  増幅手段
１０  受信判定手段
１２  タイマー
１３  演算手段
１４  伝搬時間予測手段
１５  受信制御手段
１６  温度推定手段
１７  インピーダンス推定手段
【図１】
2010066083.tif 000003
【図２】
2010066083.tif 000004
【図３】
2010066083.tif 000005